(57)【要約】      （修正有）【課題】本考案は、屋根の「雪降ろし」作業にあたり、雪国などにおいて例年多発する、屋根からの滑落などの事故に起因する死亡事故や怪我の多発防止である。【解決手段】１  ロープの両端を伸縮棒と一緒に握って左右に開き、誘動本体が宙に浮くような形で門構えの状態にする。２  誘動本体を、雪下ろしをしたい雪の部分に誘導して雪の上に置き、誘動本体を雪に埋め込むように、ロープを下方に引き下げる。３  一人で行う場合は、ロープの一方の端を柱や電柱などに結束して固定し、他方を斜め下方にゆっくり引き下げることにより、屋根の雪が落下する。【選択図】図２
0003113582.tif 000002
【実用新案登録請求の範囲】
【請求項１】
角柱形個体の中芯部分に縦方向に楕円形の穴を空け、「鉛筆の芯」のように、この角柱形個体の楕円形の穴に細長いロープを通して、そのロープの中央部分において、角柱形個体（遊動本体）が自由に動く事が出来るようにし、同ロープの両端から、伸縮性棒の先端に有る輪の部分に、上記ロープの各々の先端を通した用具で使用する、専ら屋根に積もった雪を安全に降ろすことを目的とした雪降ろし用具。
【考案の詳細な説明】
【技術分野】
【０００１】
本考案は、家屋等の屋根に降積した雪を安全に降ろすための雪降ろし用具である。
【背景技術】
【０００２】
雪国において、降積雪による家屋などの屋根の雪を降ろす作業即ち「雪降ろし」と称する作業をするうえで非常に危険が伴い、この時期になると毎年この「雪降ろし」の作業中に、屋根からの転落などにより尊い人命が失われているにも係わらず、未だ前例踏襲で、
屋根に登っての危険な人力作業が行われている。
【０００３】
この改善策として、危険な屋根に登らなくて、家の屋根などに降積した雪を地上から安全に降ろすための用具を考案した。図１はこの「雪降ろし用具」の説明図である。図１中の１は遊動本体、２はロープ、３は伸縮棒である。この３個の物品を組み合わせて使用する。図中１に２のロープを通してその中央付近に位置させ、同ロープの両端を各々３の伸縮棒先端の輪の部分に通して手元まで引く。ロープの先端は、伸縮棒先端部の輪の部分から容易に抜け落ちないようにコブを作って結束する。
【０００４】
この組み合わせによる「雪降ろし用具」を使用するにあたっては、ロープの長さを屋根の高さや家の幅などに応じて変えられるような十分な長さが必要で、伸縮棒を左右に開いて門形に構え、宙に浮いた状態となる遊動本体を、降ろしたい雪の部分に置いて雪の中に埋め込むようにし、ロープの先端を地上において両側から引き下ろすようにして引っ張ることで、屋根の上に登らなくて地上から楽に、しかも安全に屋根の「雪降ろし」ができる。
【０００５】
上記の方法では届かない上部については、２本の伸縮棒を揃えて握り、遊動本体を振り子のように振って、あるいは魚釣りのキャスティングの要領で、雪降ろしをしたい雪の部分に誘導して、前述の要領で降ろしたい雪の部分に遊動体を置いて雪の中に埋め込むようにし、ロープの先端を地上において両側から引き下ろすようにして引っ張ることで、屋根の上に登らなくて地上から楽に、しかも安全に屋根の「雪降ろし」ができる。
【考案の開示】
【考案が解決しようとする課題】
【０００６】
本考案は、屋根の「雪降ろし」作業にあたり、雪国などにおいて例年多発する、屋根からの滑落などの事故に起因する死亡事故や怪我の多発防止である。
【課題を解決するための手段】
【０００７】
本考案は、屋根の「雪降ろし」作業にあたり、雪国などにおいて例年多発する、屋根からの滑落などの事故に起因する死亡事故や怪我の多発を未然に防止することを最も主要な目的とする。
【考案の効果】
【０００８】
本考案の屋根の雪降ろし用具は、危険な屋根の上に登らなくても、安全な地上から屋根の雪降ろしが出来るので、雪国などにおいて例年多発する、屋根からの滑落などの事故に起因する死亡事故や怪我の多発を未然に防止することができるという利点がある。
【考案を実施するための最良の形態】
【０００９】
危険な屋根の雪降ろし作業を、２本の伸縮棒と長いロープを利用することで、雪降ろしをしたい雪の部分に容易に遊動本体を誘導して、後は単にロープを引っ張るだけの単純かつ安全な作業へと変えることが実現できた。
【実施例１】
【００１０】
１  ロープの両端を伸縮棒と一緒に握って左右に開き、誘動本体が宙に浮くような形で門構えの状態にする。
２  誘動本体を、雪下ろしをしたい雪の部分に誘導して雪の上に置き、誘動本体を雪に埋め込むように、ロープを下方に引き下げる。
３  一人で行う場合は、ロープの一方の端を柱や電柱などに結束して固定し、他方を斜め
下方にゆっくり引き下げることにより、屋根の雪が落下する。
４  二人で行う場合は、ロープの両端をそれぞれ伸縮棒と一緒に握って左右に開き、上記
１の方法と同様に、誘動本体が宙に浮くような形で門構えの状態にし、以下２から３の作業を繰り返す。
５  上記の方法では伸縮棒の長さが足りずに上の方まで届かないので、そんな場合は２本の伸縮棒を揃えて握り、遊動本体を振り子のように振って、あるいは魚釣りのキャスティングの要領で、雪降ろしをしたい雪の部分に誘導して、前述の要領で降ろしたい雪の部分に遊動体を置いて雪の中に埋め込むようにし、ロープの先端を地上において両側から引き下ろすようにして引っ張る。
６  この作業を行う場合には決して真下に位置しないで、左右に分かれて実施すること。
【産業上の利用可能性】
【００１１】
電力、内燃機関などの動力によらず、専ら人力のみで、しかも同作品のロープの片方を固定して使用すれば一人でも使用可能であり、操作方法も極めて簡単かつ単純であることから、雪国の屋根の雪降ろしには不可欠である。
【図面の簡単な説明】
【００１２】
【図１】雪降ろし用具の仕様を示した説明図である。
【図２】雪降ろし用具の使用方法を示した説明図である。（使用例１）
【図３】雪降ろし用具の使用方法を示した説明図である。（使用例２）
【符号の説明】
【００１３】
１  遊動本体
２  伸縮棒（２本）
３  ロープ
【図１】
0003113582.tif 000003
【図２】
0003113582.tif 000004
【図３】
0003113582.tif 000005
【手続補正書】
【提出日】平成17年6月14日(2005.6.14)
【手続補正１】
【補正対象書類名】明細書
【補正対象項目名】０００４
【補正方法】変更
【補正の内容】
【０００４】
この組み合わせによる「雪降ろし用具」を使用するにあたっては、ロープの長さを屋根の高さや家の幅などに応じて変えられるような十分な長さが必要で、伸縮棒を左右に開いて門形に構え、宙に浮いた状態となる角柱形固体である遊動本体を、降ろしたい雪の部分に置いて雪の中に埋め込むようにし、ロープＬ３の先端を地上において両側から引き下ろすようにして引っ張ることで、屋根の上に登らなくて地上から楽に、しかも安全に屋根の「雪降ろし」ができる。
【手続補正２】
【補正対象書類名】明細書
【補正対象項目名】０００５
【補正方法】変更
【補正の内容】
【０００５】
上記の方法では届かない上部については、２本の伸縮棒を揃えて握り、角柱形固体である遊動本体を振り子のように振って、あるいは魚釣りのキャスティングの要領で、雪降ろしをしたい雪の部分に誘導して、前述の要領で降ろしたい雪の部分に角柱形固体である遊動本体を置いて雪の中に埋め込むようにし、ロープＬ３の先端を地上において両側から引き下ろすようにして引っ張ることで、屋根の上に登らなくて地上から楽に、しかも安全に屋根の「雪降ろし」ができる。
【手続補正３】
【補正対象書類名】明細書
【補正対象項目名】０００９
【補正方法】変更
【補正の内容】
【０００９】
危険な屋根の雪降ろし作業を、２本の伸縮棒と長いロープＬ３を利用することで、雪降ろしをしたい雪の部分に容易に角柱形固体である遊動本体を誘導して、後は単にロープＬ３を引っ張るだけの単純かつ安全な作業へと変えることが実現できた。
【手続補正４】
【補正対象書類名】明細書
【補正対象項目名】００１０
【補正方法】変更
【補正の内容】
【００１０】
１  ロープＬ３の両端を伸縮棒と一緒に握って左右に開き、角柱形固体である遊動本体が宙に浮くような形で門構えの状態にする。
２  誘動本体を、雪下ろしをしたい雪の部分に誘導して雪の上に置き、角柱形固体である遊動本体を雪に埋め込むように、ロープＬ３を下方に引き下げる。
３  一人で行う場合は、ロープＬ３の一方の端を柱や電柱などに結束して固定し、他方を斜め下方にゆっくり引き下げることにより、屋根の雪が落下する。
４  二人で行う場合は、ロープＬ３の両端をそれぞれ伸縮棒と一緒に握って左右に開き、上記１の方法と同様に、角柱形固体である遊動本体が宙に浮くような形で門構えの状態にし、以下２から３の作業を繰り返す。
５  上記の方法では伸縮棒の長さが足りずに上の方まで届かないので、そんな場合は２本の伸縮棒を揃えて握り、角柱形固体である遊動本体を振り子のように振って、あるいは魚釣りのキャスティングの要領で、雪降ろしをしたい雪の部分に誘導して、前述の要領で降ろしたい雪の部分に角柱形固体である遊動本体を置いて雪の中に埋め込むようにし、ロープＬ３の先端を地上において両側から引き下ろすようにして引っ張る。
６  この作業を行う場合には決して真下に位置しないで、左右に分かれて実施すること。
【手続補正５】
【補正対象書類名】明細書
【補正対象項目名】００１３
【補正方法】変更
【補正の内容】
【００１３】
１  角柱形固体である遊動本体
２  伸縮棒（２本）
３  ロープＬ３
Ａ  ロープＬ３を通すための、角柱形固体である遊動本体の中心部に作製した穴。
Ｈ  角柱形固体である遊動本体の高さ。
Ｌ  角柱形固体である遊動本体の長さ。
Ｌ１  伸縮棒の基本となる長さ＝下記Ｌ２の約２分の１の長さ。
Ｌ２  伸縮棒を伸ばした時の長さ＝屋根の高さに匹敵する長さ。
ア  伸縮棒の太さ。
イ  伸縮棒の先端にこしらえた、ロープ３を通すための輪部。
ウ  伸縮棒を結合するためのネジ部。
エ  伸縮棒を結合し、固定するためのネジ部。
【手続補正６】
【補正対象書類名】実用新案登録請求の範囲
【補正対象項目名】請求項１
【補正方法】変更
【補正の内容】
【請求項１】
角柱形個体である遊動本体の中芯部分に縦方向に楕円形の穴Ａを空け、「鉛筆の芯」のように、この角柱形個体である遊動本体の楕円形の穴Ａに細長いロープＬ３を通して、そのロープＬ３の中央部分において、この角柱形個体である遊動本体が自由に動くことが出来るようにし、同ロープＬ３の両端から、伸縮性棒の先端に有る輪の部分イに、上記ロープＬ３の各々の先端を通した用具で使用する、専ら屋根に積もった雪を安全に降ろすことを目的とした雪降ろし用具。
【手続補正７】
【補正対象書類名】図面
【補正対象項目名】全図
【補正方法】変更
【補正の内容】
【図１】
0003113582.tif 000006
【図２】
0003113582.tif 000007
【図３】
0003113582.tif 000008
【手続補正８】
【補正対象書類名】明細書
【補正対象項目名】００１２
【補正方法】変更
【補正の内容】
【００１２】
【図１】１ は角柱形固体である遊動本体についての説明である。Ｌ（長さ）＝５５Ｃｍから６０Ｃｍ前後、Ｈ（高さ又は直径）＝１０Ｃｍから１５Ｃｍ前後の範囲で、円柱形の四方を削り、輪切りにした切り口の形が四方手裏剣のような形となるようにし、その中心部分に鉛筆の芯のような形でロープＬ３を通すための楕円形の空洞Ａを作った角柱形固体である遊動本体である。・  この角柱形固体である遊動本体には、「レニー」と称する、鉄のように堅く、また鉄のように錆びることがなく、そして半永久的に使用できるうえ、重さは鉄の十分の一という物質を使用すれば理想的である。・  ２ は、伸縮棒についての説明である。この伸縮棒はステンレス製で、太さの違うパイプＬ１及びＬ２をウ及びエの部分で組み合わせて固定出来るようにし、また長さを自由に伸縮出来るように結合し、Ｌ１の太さアは直径１０Ｃｍ前後で握り易い太さとして、Ｌ２は屋根の最上部付近まで届く任意のものを使用し、その先端部分に、ロープＬ３を通す輪の部分イをこしらえる。・  ・３ は、ロープＬ３についての説明である。ロープＬ３は、上記２で説明の伸縮棒の先端に作った輪の部分イにゆっくり通すことの出来る太さの堅牢なロープＬ３を使用しＬ３の長さについては家の間口に応じてその長さを任意に変更するが、「図２」に示すように屋根中央部分の雪を降ろす場合には、少なくとも間口の長さ＋屋根の高さ×２以上のロープＬ３の長さが必要である。
【図２】同図は使用例１である。１の角柱形固体である遊動本体の中心ＡにロープＬ３を通して、二本の伸縮棒２を左右に配し、この伸縮棒２の先端部にある輪部分のイ及びウに、ロープ３の先端を各々通す。 図面オの部分で、伸縮棒２とロープ３を一緒に握り、ロープがたるまないようにピーンと張り、角柱形固体である遊動本体 １ が宙に浮くようにして保持する。伸縮棒２を最大限に延ばし、雪降ろしをしたい屋根の部分に角柱形固体である遊動本体１を誘導して置き、図面オの部分で伸縮棒２と一緒に握っていたロープＬ３を離してロープＬ３を緩める。  伸縮棒２をロープＬ３から抜き取る。（抜き取らなくても可）      左右のロープＬ３を下方に強く引いて、角柱形固体である遊動本体１を雪の中に埋め込むようにする。角柱形固体である遊動本体１が雪の中に埋まったことを確認したら、左右のロープＬ３を同時にゆっくり手前に引き寄せるようにして、屋根の雪を落とす。  上記の動作を繰り返し行うことで、屋根の雪を少しづつ落とす。
【図３】同図は使用例２である。二本の伸縮棒２を揃えて置き、角柱形固体である遊動本体１に通したロープＬ３のそれぞれの両端を、二本の伸縮棒２の先端にある輪部分のイに各々通す。図面オの部分で、伸縮棒２とロープＬ３を一緒に握り、ロープＬ３をたるませて角柱形固体である遊動本体１が振り子のような形でブラ下がる格好となるようにする。伸縮棒２を最大限に延ばし、図面オの部分で、伸縮棒２とロープＬ３を一緒に握って固定し、ブラ下がった角柱形固体である遊動本体１を、魚釣りのキャスティングの要領で振り、雪降ろしをしたい部分に誘導する。以下、使用例１に記載の５、６、７、８の要領で実行する。